(57)【要約】【課題】操作手段の操作時に節度のための不快の音や振動の発生を抑制することができるスイッチ装置を提供する。【解決手段】節度部材８の節度溝８ａにピース６が落ち込む状態では、節度部材８に一体に設けられたノブ９のスカート部２０のカム部２０ａにプッシャー１９を予め接触させた状態とした。これにより、節度溝８ａにピース６が落ち込む際の不快の音や振動の発生を抑制することができる。【選択図】図１
2013182663.tif 000002
【特許請求の範囲】
【請求項１】
節度溝が設けられ、使用者により操作される操作手段と、前記操作手段において前記節度溝の移動軌跡上に付勢状態で当接する付勢手段とを備え、前記付勢手段が前記節度溝に落ち込むことで前記操作手段に節度を付与するスイッチ装置において、
前記付勢手段が前記節度溝に落ち込んだ状態では前記操作手段に予め接触しているように設けられた振動吸収手段を備えたことを特徴とするスイッチ装置。
【請求項２】
前記振動吸収手段は、前記操作手段に接触する接触部材と、前記接触部材の振動を吸収する振動吸収部材とから構成されていることを特徴とする請求項１記載のスイッチ装置。
【請求項３】
前記操作手段は、前記接触部材と対向する所定部位が当該接触部材側に突出したカム部を有した形状をなし、
前記付勢手段が前記節度溝に落ち込んだ状態で前記カム部が前記接触部材に予め接触していることを特徴とする請求項２記載のスイッチ装置。
【発明の詳細な説明】
【技術分野】
【０００１】
本発明は、操作手段の操作時に所定位置で節度を付与するスイッチ装置に関する。
【背景技術】
【０００２】
例えばロータリスイッチでは、節度溝にスプリングなどで荷重を付与した先端が弾丸形状のピースを落とし込むことでロータリスイッチのノブに対して所定位置で節度を付与するようにしている（特許文献１参照）。
【先行技術文献】
【特許文献】
【０００３】
【特許文献１】特開２０１１−８９６０号公報
【発明の概要】
【発明が解決しようとする課題】
【０００４】
ところで、ピースが節度溝に落ち込んだ場合にピースが節度溝に強く当たり、不快な音が発生したり、不快な振動が発生したりすることがある。特に振動はノブを介して手に直接伝わることから、使用者が不快と感じやすい。
本発明は上記事情に鑑みてなされたもので、その目的は、操作手段の操作時に節度のための不快の音や振動の発生を抑制することができるスイッチ装置を提供することにある。
【課題を解決するための手段】
【０００５】
本発明は、節度溝が設けられ、使用者により操作される操作手段と、前記操作手段において前記節度溝の移動軌跡上に付勢状態で当接する付勢手段とを備え、前記付勢手段が前記節度溝に落ち込むことで前記操作手段に節度を付与するスイッチ装置において、前記付勢手段が前記節度溝に落ち込んだ状態では前記操作手段に予め接触しているように設けられた振動吸収手段を備えたものである。
【発明の効果】
【０００６】
本発明によれば、付勢手段が操作手段の節度溝に落ち込むと、付勢手段が節度溝に強く当たって音が発生したり、振動したりする。このとき、振動吸収部材が操作手段に接触していることから、操作手段で発生する振動は振動吸収部材により吸収される。これにより、操作手段から発生する音や振動を抑制することができる。
【図面の簡単な説明】
【０００７】
【図１】本発明の一実施形態におけるロータリスイッチを断面にして示す斜視図
【図２】異なる断面で示す図１相当図
【図３】ロータリスイッチの斜視図
【図４】ロータリスイッチの分解斜視図
【図５】ノブのカム部とプッシャーとの位置関係を示す図
【発明を実施するための形態】
【０００８】
以下、本発明をロータリスイッチに適用した一実施形態について図面を参照して説明する。
図３はロータリスイッチの斜視図、図４はその分解斜視図である。ロータリスイッチ１（スイッチ装置に相当）において、矩形箱状のベース２の中心には挿入孔３ａを有した円筒形状の支持部３が図示上方に突出形成されている。支持部３の両側には穴部４ａを有した一対のコイル収納部４が一体に形成されている。このコイル収納部４の穴部４ａには圧縮コイル５が収納されており、その圧縮コイル５にピース６（付勢手段に相当）が挿入支持されている。
【０００９】
支持部３の外周においてコイル収納部４を除いた部位には当該支持部３を囲繞する案内部７が形成されている。この案内部７は、支持部３の外周面から外方を指向した複数のリブ７ａの上端部を二股状に形成し、その二股部位において互いに対向する内面部位に内側に傾斜した傾斜面部７ｂを形成して構成されている。
支持部３には円筒形状の節度部材８（操作手段に相当）が装着されており、その節度部材８が案内部７上に回転可能に載置されている。つまり、リブ７ａの二股部位により案内経路が形成されるもので、節度部材８の下端部がリブ７ａの二股部位の両側の傾斜面部７ｂに当接することで節度部材８に対して位置決めと同時に回転時の抵抗力の抑制が図られている。尚、リブ７ａの外周部は壁面部７ｃで連結されており、これにより案内部７の強度が高められている。
【００１０】
図１はロータリスイッチ１を断面にして示す斜視図である。節度部材８が案内部７上に載置された状態では、節度部材８の下端部にピース６の先端が圧縮コイルバネ５により下方から付勢状態で当接しており、節度部材８に対して図示上方への付勢力が付与されている。節度部材８の下端部において対角線上となる部位には図示上方に陥没した節度溝８ａが形成されており、その節度溝８ａにピース６が落ち込むことで節度部材８に対して節度が付与されるようになっている。
ベース２の支持部３にはノブ９（操作手段に相当）が装着されている。つまり、ノブ９の裏側中心には円筒形状のシャフト１０が図示下方に突出形成されており、そのシャフト１０が支持部３の挿入孔３ａに挿入されている。シャフト１０の先端部はベース２の裏面側に突出しており、その先端部に環状の抜止部１１が係止されている。これにより、ノブ９は、抜き止めされた状態でベース２に装着されている。
【００１１】
図２は中心で断面にして示すロータリスイッチ１の分解斜視図である。ノブ９の下面側においてシャフト１０の外周となる部位には突条部１２がシャフト１０と同心状に２重に形成されており、ノブ９がベース２に装着された状態では、それらの突条部１２が節度部材８を図示上方からがたつきなく挟持している。節度部材８の図示上端部には径方向を指向する係合凸部８ｂ（図４参照）が形成されており、その係合凸部８ｂがノブ９に形成された図示しない係合凹部に係合している。これにより、ノブ９と節度部材８とががたつき無く一体化されていると共に、その一体化状態では、ノブ９と節度部材８との間の回り止めが図られている。
【００１２】
ベース２の裏面側はプリント配線基板１３がネジ１４により固定されることにより収納空間部１５が形成されている。この収納空間部１５に位置するプリント配線基板１３の上面には４個のラバードーム１６，１７が位置決め状態で搭載されている。中央に位置するラバードーム１６（付勢手段に相当）にはノブ９のシャフト１０の先端が当接している。つまり、シャフト１０において抜止部１１が装着された先端部はベース２の裏面とラバードーム１６により挟持された状態となっており、ノブ９に対する押圧操作状態でラバードーム１６が押圧方向に弾性変形する。このラバードーム１６内には図示しないスイッチ接点が設けられており、押圧された状態でそのスイッチ接点がオンする。
【００１３】
ベース２には挿入孔１８ａを有した支持部１８が図示上方に突出形成されており、その挿入孔１８ａにベース２の裏面からプッシャー１９（接触部材に相当）が挿入されている。このプッシャー１９の図示下端には押圧部１９ａが形成されており、その押圧部１９ａがラバードーム１７（振動吸収部材に相当）に当接している。つまり、プッシャー１９の押圧部１９ａはベース２の裏面とラバードーム１７とにより挟持された状態となっており、プッシャー１９が押圧された状態でラバードーム１７が押圧方向に弾性変形する。
【００１４】
ノブ９の裏側にはシャフト１０と同心状のスカート部２０が形成されており、そのスカート部２０がプッシャー１９に対向している。この場合、スカート部２０は、図５に示すように部分的に図示下方に突出したカム部２０ａを有した形状をなしている。このカム部２０ａは、節度部材８の節度溝８ａにピース６が落ち込む状態でプッシャー１９が予め当接している位置関係となるように形成されている。プッシャー１９がスカート部２０のカム部２０ａに当接した状態ではプッシャー１９がラバードーム１７を押圧した状態となっており、これにより、プッシャー１９がカム部２０ａに弾性的に当接した状態となっている。
尚、ノブ９を回転操作することで図示しないロータリエンコーダにより例えばディスプレイに表示されているアイコンを選択可能となるもので、アイコンを選択した状態でノブ９を押圧操作することでアイコンに対応する機能を実行可能となる。この場合、ノブ９が１８０°毎の基準位置に位置する毎にピース６が節度部材８の節度溝８ａに落ち込むことから、使用者は、ノブ９が基準位置に位置したことを節度により認識することができる。
以上のような構成により、ノブ９が基準位置から外れた状態では、プッシャー１９がカム部２０ａと接触していない状態であるのに対して、ノブ９が基準位置に位置した状態では、プッシャー１９がカム部２０ａに予め弾性的に接触した状態となっている。
【００１５】
さて、ノブ９を回転操作すると、ノブ９が基準位置となる毎にピース６が節度部材８の節度溝８ａに落ち込むので、その際に、ピース６が節度部材８の節度溝８ａに強く当たり、不快な音が発生したり、節度部材８を介してノブ９が不快に振動したりする。
しかしながら、本実施形態では、ノブ９が基準位置となる状態では、プッシャー１９がスカート部２０のカム部２０ａに予め弾性的に接触しているので、ピース６が節度部材８の節度溝８ａに落ち込んで強く当たる際のエネルギーをプッシャー１９を介してラバードーム１７で効果的に吸収することができる。これにより、不快な音の発生を抑制したり、節度部材８からノブ９に伝達される不快な振動を抑制したりすることができる。つまり、プッシャー１９及びラバードーム１７が振動吸収手段として機能することでダンパー効果を発揮させることができるのである。
【００１６】
このような実施形態によれば、次のような効果を奏することができる。
節度部材８の節度溝８ａにピース６が落ち込んだ状態では、節度部材８に一体に設けられたノブ９のスカート部２０のカム部２０ａにプッシャー１９が予め接触しているので、節度溝８ａにピース６が落ち込む際の不快の音や振動の発生を抑制することができる。
プッシャー１９とラバードーム１７の協調動作により音や振動の発生を抑制するようにしたので、例えばゴムのような振動吸収部材のみをノブ９に接触させる構成に比較して、ノブ９を回転する際の抵抗力が増大することはない。
プッシャー１９に対向するスカート部２０にカム部２０ａを形成し、節度部材８の節度溝８ａにピース６が落ち込む状態でカム部２０ａにプッシャー１９を予め接触させるようにしたので、プッシャー１９をノブ９に常に接触させる構成に比較して、ノブ９の回転操作を円滑に行うことができる。
ノブ９と節度部材８とを別部品としたので、プッシャー１９が付勢状態で接触するノブ９を摩擦抵抗の小さな材質で形成することができる。
プッシャー１９やラバードーム１６，１７はロータリスイッチ１の接点機能として部品として予め設定している場合があり、このような場合は、上記構造を採用するにしても、大幅なコストアップが生じることはない。
【００１７】
（その他の実施形態）
本発明は、上記実施形態に限定されることなく、次のように変形又は拡張できる。
ノブ９にプッシャー１９が常に弾性的に接触するようにしてもよい。
節度部材８の節度溝８ａにピース６が落ち込んだ状態で当該節度部材８にプッシャー１９を付勢状態で接触させるようにしてもよい。
ノブ９に節度溝８ａを形成し、その節度溝８ａにピース６が落ち込むことでノブ９に節度を付与するようにしてもよい。つまり、節度部材８を省略してもよい。
ラバードーム１６，１７に代えて、バネ部材により付勢力を付与するようにしてもよい。
本発明はロータリスイッチに限定されることなく、スライドスイッチに適用するようにしてもよい。
【符号の説明】
【００１８】
図面中、１はロータリスイッチ（スイッチ装置）、６はピース（付勢手段）、８は節度部材（操作手段）、８ａは節度溝、９はノブ（操作手段）、１６はラバードーム（付勢手段）、１７はラバードーム（振動吸収手段、振動吸収部材）、１９はプッシャー（振動吸収手段、接触部材）、２０ａはカム部である。
【図１】
2013182663.tif 000003
【図２】
2013182663.tif 000004
【図３】
2013182663.tif 000005
【図４】
2013182663.tif 000006
【図５】
2013182663.tif 000007